(57)【特許請求の範囲】
【請求項１】
非圧縮のデジタル映像信号及びデジタル音声信号の一方向伝送が可能な第１の伝送路と所定のメッセージの双方向伝送が可能な第２の伝送路とを有するインタフェースを介して外部機器と接続するための接続端子と、
前記第１の伝送路を介した前記外部機器への前記一方向伝送の可否を検出する検出手段と、
前記一方向伝送が可能であることが検出された場合に、前記第２の伝送路を介して前記外部機器から当該電子機器のアドレスを取得する取得手段と、
前記取得された前記アドレスを記憶する記憶手段と、
前記外部機器から前記第２の伝送路を介して所定のメッセージを受信する受信手段と、
前記受信されたメッセージの宛先に、前記記憶された当該電子機器のアドレスが含まれるか否かを判断する判断手段と、
前記宛先に当該電子機器のアドレスが含まれると判断された場合に、前記受信されたメッセージに応答する応答手段と、
前記一方向伝送が不可能であることが検出された場合に、前記受信されたメッセージに応答しないよう前記応答手段を制御する制御手段と
を具備する電子機器。
【請求項２】
請求項１に記載の電子機器であって、
前記判断手段は、前記受信されたメッセージがユニキャストメッセージかブロードキャストメッセージかを判断し、
前記制御手段は、前記メッセージがブロードキャストメッセージであると判断された場合に、前記一方向伝送の可否に関わらず当該メッセージに応答するよう前記応答手段を制御する
電子機器。
【請求項３】
請求項２に記載の電子機器であって、
前記インタフェースはＨＤＭＩ（High-Definition Multimedia Interface）であり、
前記一方向伝送路はＴＭＤＳ（Transition Minimized Differential Signaling）ラインであり、
前記双方向伝送路はＣＥＣ（Consumer Electronics Control）ラインであり、
前記検出手段は、ＨＰＤ（Hot-Plug Detect）信号のレベルにより前記一方向伝送の可否を検出する
電子機器。
【請求項４】
非圧縮のデジタル映像信号及びデジタル音声信号の一方向伝送が可能な第１の伝送路と所定のメッセージの双方向伝送が可能な第２の伝送路とを有するインタフェースを介して外部機器と接続可能な電子機器がメッセージに応答する方法であって、
前記第１の伝送路を介した前記外部機器への前記一方向伝送の可否を検出し、
前記一方向伝送が可能であることが検出された場合に、前記第２の伝送路を介して前記外部機器から当該電子機器のアドレスを取得し、
前記取得された前記アドレスを記憶し、
前記外部機器から前記第２の伝送路を介して所定のメッセージを受信し、
前記受信されたメッセージの宛先に、前記記憶された当該電子機器のアドレスが含まれるか否かを判断し、
前記宛先に当該電子機器のアドレスが含まれると判断された場合に、前記受信されたメッセージに応答し、
前記一方向伝送が不可能であることが検出された場合に、前記受信されたメッセージに応答しないよう制御する
メッセージ応答方法。
【請求項５】
非圧縮のデジタル映像信号及びデジタル音声信号の一方向伝送が可能な第１の伝送路と所定のメッセージの双方向伝送が可能な第２の伝送路とを有するインタフェースを介して外部機器と接続可能な電子機器に、
前記第１の伝送路を介した前記外部機器への前記一方向伝送の可否を検出するステップと、
前記一方向伝送が可能であることが検出された場合に、前記第２の伝送路を介して前記外部機器から当該電子機器のアドレスを取得するステップと、
前記取得された前記アドレスを記憶するステップと、
前記外部機器から前記第２の伝送路を介して所定のメッセージを受信するステップと、
前記受信されたメッセージの宛先に、前記記憶された当該電子機器のアドレスが含まれるか否かを判断するステップと、
前記宛先に当該電子機器のアドレスが含まれると判断された場合に、前記受信されたメッセージに応答するステップと、
前記一方向伝送が不可能であることが検出された場合に、前記受信されたメッセージに応答しないよう制御するステップと
を実行させるためのプログラム。
【発明の詳細な説明】
【技術分野】
【０００１】
本発明は、例えばＨＤＭＩ（High-Definition Multimedia Interface）によるデータの伝送が可能な電子機器、メッセージ応答方法及びプログラムに関する。
【背景技術】
【０００２】
近年、例えばＤＶＤプレイヤーやＳＴＢ（Set Top Box）等のＡＶ（Audio Video）機器からデジタルＴＶ等の表示装置へデジタル出力が可能な規格として、ＨＤＭＩが認知されている。このＨＤＭＩ規格は、非圧縮のデジタル映像信号及びデジタル音声信号を一方向に伝送させるための方式としてＴＭＤＳ（Transition Minimized Differential Signaling）を利用し、制御信号を双方向に伝送させるためのプロトコルであるＣＥＣ（Consumer Electronics Control）を規定している。ＣＥＣプロトコルを用いることで、制御信号を機器間で中継させて、１台のリモートコントローラ（以下、リモコン）から複数のＡＶ機器を制御することができる。
【０００３】
このＣＥＣプロトコルでは、ＤＤＣ（Display Data Channel）バスを利用して、まず各機器の物理アドレスがマッピングされる。この場合、各機器は、ＨＰＤ（Hot Plug Detect）信号がHighの場合、すなわち、上記一方向伝送が接続相手機器に許可された場合に、ＤＤＣバス経由で接続相手機器（シンク機器）からＥＤＩＤ（Extended Display Identification Data）を読み出さすことで、物理アドレスを取得する。その後、ＣＥＣバスを利用して各機器の論理アドレスがマッピングされる。この場合、各機器は、＜Polling＞メッセージを送信し、その応答結果に応じて論理アドレスを取得する（非特許文献１参照）。
【０００４】
しかしながら、この非特許文献１には、物理アドレス及び論理アドレスのマッピング状態について、上記一方向伝送を有効にするためのトリガとなるＨＰＤによる接続許可が非許可に遷移した場合におけるＣＥＣプロトコルでのメッセージ伝送については規定されていない。
【０００５】
そこで、下記特許文献１には、通信機器が、取得した物理アドレス及び論理アドレスを保持しておき、受信したメッセージに対して、ＨＰＤによる接続許可が有効か無効かに関わらず、保持された物理アドレス及び論理アドレスに基づいて応答を行うことが記載されている。  
【非特許文献１】「High-Definition Multimedia Interface Specification Version 1.3a」、2006年6月22日）
【特許文献１】特開２００７−２０２１１５号公報（段落[００]、図  ）
【発明の開示】
【発明が解決しようとする課題】
【０００６】
しかしながら、上記特許文献１に記載の技術においては、以下のような場合に問題が生じる。  
例えば、シンク機器（ルートデバイス）が２つのＨＤＭＩ入力端子（第１の入力端子、第２の入力端子）を有し、当該シンク機器に２つのソース機器（第１のソース機器、第２のソース機器）を接続する場合を想定する。まず第１の入力端子に第１のソース機器が接続されて、論理アドレス及び物理アドレスが割り当てられる。その後、当該第１のソース機器が第１の入力端子から外される。このとき、第１のソース機器はその論理アドレス及び物理アドレスを保持している。その後、第１の入力端子に第２のソース機器が接続されて、第１のソース機器に割り当てられたものと同一の論理アドレス及び物理アドレスが割り当てられる。その後、第１のソース機器が第２の入力端子に接続される。この場合、第２の入力端子のＨＰＤ信号はLowで、物理アドレス及び論理アドレスの再取得処理が実行されないため、第１のソース機器の物理アドレス及び論路アドレスは、上記保持された物理アドレス及び論理アドレス、つまり第２のソース機器と同一の物理アドレス及び論理アドレスとなる。そうすると、第１のソース機器は、シンク機器から、本来第２のソース機器宛のメッセージを受信した場合もそのメッセージに応答してしまうため、ユーザの意図しない処理が実行され、ユーザに混乱を与えることとなる。
【０００７】
以上のような事情に鑑み、本発明の目的は、接続相手の外部機器に接続された他の電子機器と同一のアドレスが割り当てられている場合でも、外部機器からのメッセージに適切に応答することが可能な電子機器、当該電子機器におけるメッセージ応答方法及びプログラムを提供することにある。
【課題を解決するための手段】
【０００８】
上述の課題を解決するため、本発明の主たる観点に係る電子機器は、非圧縮のデジタル映像信号及びデジタル音声信号の一方向伝送が可能な第１の伝送路と所定のメッセージの双方向伝送が可能な第２の伝送路とを有するインタフェースを介して外部機器と接続するための接続端子と、前記第１の伝送路を介した前記外部機器への前記一方向伝送の可否を検出する検出手段と、前記一方向伝送が可能であることが検出された場合に、前記第２の伝送路を介して前記外部機器から当該電子機器のアドレスを取得する取得手段と、前記取得された前記アドレスを記憶する記憶手段と、前記外部機器から前記第２の伝送路を介して所定のメッセージを受信する受信手段と、前記受信されたメッセージの宛先に、前記記憶された当該電子機器のアドレスが含まれるか否かを判断する判断手段と、前記宛先に当該電子機器のアドレスが含まれると判断された場合に、前記受信されたメッセージに応答する応答手段と、前記一方向伝送が不可能であることが検出された場合に、前記受信されたメッセージに応答しないよう前記応答手段を制御する制御手段とを具備する。
【０００９】
ここで電子機器とは、例えばカムコーダやデジタルスチルカメラ、ノート型ＰＣ（Personal Computer）、ポータブルＤＶＤプレイヤー等のモバイル機器、その他の据置き型の機器である。
【００１０】
この構成によれば、上記インタフェースにおいて一方向通信が不可能であると判断された場合には、当該電子機器は、自機器宛のメッセージであっても、当該メッセージに応答しない。外部機器が上記接続端子を複数有しており、当該電子機器を、外部機器の一方の接続端子から他方の接続端子へ繋ぎ替え、一方の接続端子に、当該電子機器に替えて他の電子機器が接続されたような場合には、上記記憶されたアドレスと、新たに接続された他の電子機器のアドレスとが同一となってしまうため、自機器宛のメッセージに全て応答してしまうと、実際は他の電子機器宛のメッセージに対しても誤って応答してしまい、ユーザの意図しない動作が実行されてしまうおそれがある。しかし、上記構成によれば、一方向通信が可能である場合にのみメッセージに応答するため、ユーザの意図しない処理が実行されてしまうのを防ぐことができる。
【００１１】
上記電子機器において、前記判断手段は、前記受信されたメッセージがユニキャストメッセージかブロードキャストメッセージかを判断し、前記制御手段は、前記メッセージがブロードキャストメッセージであると判断された場合に、前記一方向伝送の可否に関わらず当該メッセージに応答するよう前記応答手段を制御してもよい。
【００１２】
これにより、本来他の電子機器宛のユニキャストメッセージに誤って応答することを防ぐとともに、ブロードキャストメッセージに対しては適切に応答することができる。
【００１３】
上記電子機器において、前記インタフェースはＨＤＭＩ（High-Definition Multimedia Interface）であり、前記一方向伝送路はＴＭＤＳ（Transition Minimized Differential Signaling）ラインであり、前記双方向伝送路はＣＥＣ（Consumer Electronics Control）ラインであり、前記検出手段は、ＨＰＤ（Hot-Plug Detect）信号のレベルにより前記一方向伝送の可否を検出するようにしても構わない。
【００１４】
これにより、ＨＤＭＩ対応機器において、ＨＰＤ＝Ｌｏｗの場合には、自機器宛のメッセージであっても応答しないよう制御することで、本来は自機器宛でないメッセージに対して誤って応答してしまうことを防ぐことができる。
【００１５】
本発明の他の観点に係るメッセージ応答方法は、非圧縮のデジタル映像信号及びデジタル音声信号の一方向伝送が可能な第１の伝送路と所定のメッセージの双方向伝送が可能な第２の伝送路とを有するインタフェースを介して外部機器と接続可能な電子機器がメッセージに応答する方法であって、前記第１の伝送路を介した前記外部機器への前記一方向伝送の可否を検出し、前記一方向伝送が可能であることが検出された場合に、前記第２の伝送路を介して前記外部機器から当該電子機器のアドレスを取得し、前記取得された前記アドレスを記憶し、前記外部機器から前記第２の伝送路を介して所定のメッセージを受信し、前記受信されたメッセージの宛先に、前記記憶された当該電子機器のアドレスが含まれるか否かを判断し、前記宛先に当該電子機器のアドレスが含まれると判断された場合に、前記受信されたメッセージに応答し、前記一方向伝送が不可能であることが検出された場合に、前記受信されたメッセージに応答しないよう制御する。
【００１６】
本発明のまた別の観点に係るプログラムは、非圧縮のデジタル映像信号及びデジタル音声信号の一方向伝送が可能な第１の伝送路と所定のメッセージの双方向伝送が可能な第２の伝送路とを有するインタフェースを介して外部機器と接続可能な電子機器に、前記第１の伝送路を介した前記外部機器への前記一方向伝送の可否を検出するステップと、前記一方向伝送が可能であることが検出された場合に、前記第２の伝送路を介して前記外部機器から当該電子機器のアドレスを取得するステップと、前記取得された前記アドレスを記憶するステップと、前記外部機器から前記第２の伝送路を介して所定のメッセージを受信するステップと、前記受信されたメッセージの宛先に、前記記憶された当該電子機器のアドレスが含まれるか否かを判断するステップと、前記宛先に当該電子機器のアドレスが含まれると判断された場合に、前記受信されたメッセージに応答するステップと、前記一方向伝送が不可能であることが検出された場合に、前記受信されたメッセージに応答しないよう制御するステップとを実行させるためのものである。
【発明の効果】
【００１７】
以上のように、本発明によれば、接続相手の外部機器に接続された他の電子機器と同一のアドレスが割り当てられている場合でも、外部機器からのメッセージに適切に応答することができる。
【発明を実施するための最良の形態】
【００１８】
以下、本発明の実施の形態を図面に基づき説明する。
【００１９】
図１は、本発明の一実施形態における伝送システムの構成を示す図である。  
同図に示すように、この伝送システムは、テレビジョン装置１（以下、ＴＶ１と称する）、カムコーダ２及びＤＶＤプレイヤー３が、例えばツリー状スター型に接続されて構成される。
【００２０】
ＴＶ１は、２つのＨＤＭＩ入力端子１１及び１２を有する。カムコーダ２はＨＤＭＩ出力端子１３を有する。ＤＶＤプレイヤー３はＨＤＭＩ出力端子１４を有する。ＴＶ１とカムコーダ２、並びに、ＴＶ１とＤＶＤプレイヤー３とは、これらＨＤＭＩ入力端子１１及び１２と、ＨＤＭＩ出力端子１３及び１４とがＨＤＭＩケーブル５によりそれぞれ接続されることで通信可能となっている。この場合、ＴＶ１がシンク機器、カムコーダ２及びＤＶＤプレイヤー３がソース機器として機能する。カムコーダ２及びＤＶＤプレイヤー３は、非圧縮のデジタル映像データ及びデジタル音声データを、ＨＤＭＩケーブル５を介してＴＶ１へ伝送し、ＴＶ１のディスプレイに表示させることが可能となっている。
【００２１】
図２は、本実施形態に係るカムコーダ２の構成を示すブロック図である。  
同図に示すように、カムコーダ２は、ＣＰＵ２１、レンズ２２、ＣＣＤ（Charge Coupled Device）２３、映像信号処理回路２４、記録再生処理回路２５、操作入力部２７、ＯＳＤ回路２８、重畳回路２９、ＬＣＤ３０、マイクロフォン３１、音声信号処理回路３２、スピーカ３３、フラッシュメモリ４０、ＨＤＭＩ送信部３４及び上記ＨＤＭＩ出力端子１４を有する。また、カムコーダ２には、記録媒体２６が装着可能となっている。
【００２２】
ＣＰＵ２１は、例えば、レンズ２２、映像信号処理回路２４、音声信号処理回路３２、記録再生処理回路２５、ＯＳＤ回路２８等、カムコーダ２の各部を統括的に制御する。
【００２３】
レンズ２２は、ＣＰＵ２１により駆動され、被写体の像の光をＣＣＤ２３の受光部に結像させる。
【００２４】
ＣＣＤ２３は、ＣＣＤセンサから構成され、レンズ２２により結像された光を光電変換することにより、光をアナログの電気信号に変換する。ＣＣＤ２３は、変換したアナログの画像信号を映像信号処理回路２４に供給する。なお、ＣＣＤ２３に替えて例えばＣＭＯＳ（Complementary Metal Oxide Semiconductor）センサ等の他の撮像素子が用いられても構わない。
【００２５】
映像信号処理回路２４は、例えば、ＤＳＰ（Digital Signal Processor）などから構成される。映像信号処理回路２４は、ＣＰＵ２１の制御の基に、ＣＣＤ２３から供給されるアナログの映像信号を、デジタルの映像データに変換する。映像信号処理回路２４は、このデジタルの映像データに対して、所定の処理を施し、記録再生処理回路２５に供給する。所定の処理としては、例えば、レンズ２２やＣＣＤ２３などに起因した劣化に対しての補正処理、または映像データに対する、ホワイトバランスやガンマ補正処理、解像度の変換処理等が行われる。
【００２６】
マイクロフォン３１は、音を集めて、当該音を電気信号としてのアナログの音声信号に変換し、音声信号処理回路３２へ出力する。
【００２７】
音声信号処理回路３２は、ＣＰＵ２１の制御の基に、マイクロフォン３１から供給されるアナログの音声信号を、デジタルの音声データに変換し、必要な音声処理を施して、記録再生処理回路２５へ出力する。
【００２８】
記録再生処理回路２５は、映像データ及び音声データを記録媒体２６に記録する場合、映像信号処理回路２４から供給される映像データ及び音声信号処理回路３２から供給される音声データを、記録媒体２６に記録するのに適した方式（例えばＭＰＥＧ方式）にエンコードするなどの処理を行い、記録媒体２６に供給し、記録する。記録媒体２６は、例えば、磁気テープやＤＶＤ（Digital Versatile Disk）などにより構成され、必要に応じてカムコーダ２に装着される。また記録媒体２６として、例えば、ハードディスク等の記録装置が用いられてもよい。
【００２９】
記録再生処理回路２５は、記録媒体２６に記録されている映像データをＬＣＤ３０に表示させる場合、記録媒体２６から読み出した映像データを、例えばＭＰＥＧ方式に従ってデコードし、アナログの映像信号に変換するなどの処理を行い、重畳回路２９に供給する。
【００３０】
また、記録再生処理回路２５は、記録媒体２６に記録されている映像データを、ＨＤＭＩ出力端子１４を介してＴＶ１のディスプレイに表示させる場合、記録媒体２６から読み出した映像データをデコードして、非圧縮のデジタル映像データとしてＨＤＭＩ送信部３４へ出力する。
【００３１】
重畳回路２９は、記録再生処理回路２５から供給される映像データと、ＯＳＤ回路２８から供給される、例えばアイコン等の各種のＧＵＩ（Graphical User Interface）等をＬＣＤ３０に表示させるための画像データとを重畳させ、重畳することにより得られた映像データを、ＬＣＤ３０またはＨＤＭＩ送信部３４へ出力し、それぞれＬＣＤ３０またはＴＶ１のディスプレイに表示させる。
【００３２】
また、記録再生処理回路２５は、記録媒体２６に記録されている音声データをスピーカ３３から再生させる場合、記録媒体２６から読み出した音声データをデコードし、アナログの音声信号に変換し、音量を調整するなどの処理を行い、スピーカ３３に出力する。
【００３３】
さらに、記録再生処理回路２５は、記録媒体２６に記録されている音声データを、ＨＤＭＩ出力端子１４を介してＴＶ１で再生させる場合、記録媒体２６から読み出した音声データをデコードして、非圧縮のデジタル音声データとしてＨＤＭＩ送信部３４へ出力する。
【００３４】
操作入力部２７は、ユーザの操作を入力し、当該操作に対応する信号を、ＣＰＵ２１に供給する。操作入力部２７は、例えばボタン、キー、レバー等である。ＣＰＵ２１は、操作入力部２７から入力された信号を基に、各種の処理を実行する。
【００３５】
ＬＣＤ３０は、重畳回路２９から供給される映像データを表示する。スピーカ３３は、記録再生処理回路２５から供給される音声データを出力する。
【００３６】
フラッシュメモリ４０は、例えばＯＳ（Operating System）やアプリケーション等の各種ソフトウェアや、例えばＴＶ１により割り当てられる、カムコーダ２の論理アドレス及び物理アドレス等の各種データを記憶する不揮発性のメモリである。
【００３７】
ＨＤＭＩ送信部３４は、ＨＤＭＩ端子１２によりＴＶ１とＨＤＭＩケーブル５を介して接続され、映像信号や音声信号、その他の各種信号を、ＴＶ１との間で非圧縮のデジタルデータとして入出力する。
【００３８】
なお、図示しないが、上記ＤＶＤプレイヤー３も、上記カムコーダ２のＨＤＭＩ送信部３４と同様のＨＤＭＩ送信部を有し、ＴＶ１は、これらＨＤＭＩ送信部に対応したＨＤＭＩ受信部を有している。
【００３９】
図３は、上記カムコーダ２の機能的なブロック構成を示した図である。  
同図に示すように、カムコーダ２は、接続状態検出手段３５、自機器アドレス取得手段３６、アドレス保持手段３７及びメッセージ伝送手段３８を有する。
【００４０】
接続状態検出手段３５は、シンク機器であるＴＶ１からＨＰＤライン１３０を介して出力されるＨＰＤ信号（ＤＣバイアスレベル）のＨｉｇｈ／Ｌｏｗを検出する。接続状態検出手段３５は、ＨＰＤ＝Ｈの場合には、後述するＤＤＣライン１１０によるＥＤＩＤ（E-EDID; Enhanced Extended Display Identification Data）の読み出し、及び非圧縮のデジタルデータのシンク機器への一方向伝送がシンク機器から許可されていると判断し、ＨＰＤ＝Ｌの場合には当該読み出し及び一方向伝送が許可されていないと判断する。また、接続状態検出手段３５は、当該ＨＰＤ信号のＨ／Ｌに応じて、メッセージ伝送手段３８によるＴＶ１へのメッセージ応答を許可する。
【００４１】
自機器アドレス取得手段３６は、上記接続状態検出手段３５により上記一方向伝送が許可されたと判断された場合に、上記ＤＤＣライン１１０を介してＴＶ１のＥＤＩＤを読み出し、カムコーダ２の物理アドレスを取得する。また自機器アドレス取得手段３６は、メッセージ伝送手段３８を介して、ＴＶ１からカムコーダ２の論理アドレスを取得する。これら物理アドレス及び論理アドレスの取得動作の詳細については後述する。
【００４２】
アドレス保持手段３７は、上記自機器アドレス取得手段３６により取得された論理アドレス及び物理アドレスを、上記フラッシュメモリ４０へ保持する。
【００４３】
メッセージ伝送手段３８は、上記アドレス保持手段３７により保持された論理アドレス及び物理アドレスを用いて、ＣＥＣライン１２０を介して、ＴＶ１との間でＣＥＣメッセージの送受信を行う。また上述したように、メッセージ伝送手段３８は、上記接続状態検出手段３５によるＨＰＤ信号のＨまたはＬに応じて、受信したメッセージに対する応答方法を変更する。このメッセージ応答動作の詳細については後述する。
【００４４】
上記各手段３５〜３８は、例えばプログラムとして実現できる。上記フラッシュメモリ４０には、これら各手段３５〜３８を実行するためのプログラムが記憶されている。
【００４５】
図４は、上記カムコーダ２のＨＤＭＩ送信部３４と、ＴＶ１のＨＤＭＩ受信部の構成を示した図である。上述したように、カムコーダ２のＨＤＭＩ送信部３４がＨＤＭＩソース側となり、ＴＶ１のＨＤＭＩ受信部４４がＨＤＭＩシンク側となるが、ＴＶ１とカムコーダ２との間で、ソースとシンクの機能が互いに逆になる場合もある。  
同じく上述したように、ＨＤＭＩ送信部３４とＨＤＭＩ受信部４４とは、１本のＨＤＭＩケーブル５で接続されている。しかしながら、両者は無線により接続されてもよい。
【００４６】
ＨＤＭＩ送信部３４は、トランスミッタ３９を有する。トランスミッタ３９は、例えば、映像を構成する画像の非圧縮の画素データを対応する差動信号に変換し、３つのＴＭＤＳチャンネル＃０，＃１，＃２を介して、ＨＤＭＩ受信部４４に一方向にシリアル伝送する。
【００４７】
また、トランスミッタ３９は、非圧縮の映像に付随する音声データ、さらには、必要な制御データその他の補助データ等を、対応する差動信号に変換し、３つのＴＭＤＳチャンネル＃０，＃１，＃２を介して、ＨＤＭＩ受信部４４に一方向にシリアル伝送する。
【００４８】
さらに、トランスミッタ３９は、３つのＴＭＤＳチャンネル＃０，＃１，＃２で送信する画素データに同期したピクセルクロックを、ＴＭＤＳクロックチャンネルを介して、ＨＤＭＩ受信部４４に送信する。ここで、１つのＴＭＤＳチャンネル＃ｉ（ｉ=０，１，２）では、ピクセルクロックの１クロックの間に、１０ビットの画素データが送信される。
【００４９】
ＨＤＭＩ受信部４４は、レシーバ４９を有する。レシーバ４９は、ＴＭＤＳチャンネル＃０，＃１，＃２で、ＨＤＭＩ送信部３４から一方向に送信されてくる、画素データに対応する差動信号と、音声データや制御データに対応する差動信号を、同じくＨＤＭＩ送信部３４からＴＭＤＳクロックチャンネルで送信されてくるピクセルクロックに同期して受信する。
【００５０】
ＨＤＭＩ送信部３４とＨＤＭＩ受信部４４との間の伝送チャンネルとしては、上記ＴＭＤＳチャンネル＃０乃至＃２及びＴＭＤＳクロックチャンネルの他に、図３でも示したＤＤＣライン１１０、ＣＥＣライン１２０及びＨＰＤライン１３０の３つの伝送チャンネルがある。
【００５１】
ＤＤＣライン１１０は、ＨＤＭＩケーブル５に含まれる図示せぬ２本の信号線からなり、ＨＤＭＩ送信部３４が、ＨＤＭＩ受信部４４から、上述したＥＤＩＤを読み出すのに使用される。
【００５２】
すなわち、ＨＤＭＩ受信部４４は、レシーバ４９の他に、自身の設定や性能に関する情報であるＥＤＩＤを記憶しているEDIDROM（EDID ROM（Read Only Memory））４５を有している。ＨＤＭＩ送信部３４は、ＨＤＭＩ受信部４４から、そのＨＤＭＩ受信部４４のEDIDROM４５が記憶しているＥＤＩＤを、ＤＤＣライン１１０を介して読み出し、そのＥＤＩＤに基づき、ＨＤＭＩ受信部４４の設定や性能、すなわち、たとえばＨＤＭＩ受信部４４（を有する電子機器）が対応している画像のフォーマット（プロファイル）、たとえばＲＧＢ（Red/Green/Blue）や、YCbCr4:4:4，YCbCr4:2:2などを認識する。
【００５３】
また、ＥＤＩＤには、ＨＤＭＩ送信部３４に割り当てられる物理アドレスも記述されており、ＨＤＭＩ送信部３４は、上記自機器アドレス取得手段３６により、このＥＤＩＤを読み出すことで、自身の物理アドレスを取得する。
【００５４】
ＣＥＣライン１２０は、ＨＤＭＩケーブル５に含まれる図示せぬ１本の信号線からなり、ＨＤＭＩ送信部３４とＨＤＭＩ受信部４４との間で、制御用のデータやメッセージ（ＣＥＣメッセージ）の双方向通信を行うのに用いられる。
【００５５】
ＨＰＤライン１３０は、上述したように、ＨＤＭＩ送信部３４およびＨＤＭＩ受信部４４が、他の電子機器、つまりＨＤＭＩ受信部４４またはＨＤＭＩ送信部３４との接続を検出して、一方向伝送の可否やメッセージ応答の可否を判断するために用いられる。
【００５６】
次に、以上のように構成されたＨＤＭＩ伝送システムの動作について説明する。
【００５７】
まず、ＴＶ１のＨＤＭＩ入力端子１１にカムコーダ２が、ＨＤＭＩ入力端子１２にＤＶＤプレイヤー３がそれぞれ接続され、その後にＨＤＭＩ入力端子１１及び１２との間で、カムコーダ２とＤＶＤプレイヤー３との繋ぎ替えがない場合の上記システムの動作について説明する。
【００５８】
図５は、ＴＶ１にまずカムコーダ２が接続され、続いてＤＶＤプレイヤー３が接続され、物理アドレス及び論理アドレスが割り当てられる様子を示した図である。また図６は、カムコーダ２及びＤＶＤプレイヤー３に物理アドレス及び論理アドレスが割り当てられる際の情報の流れを示したシーケンス図である。
【００５９】
図５（Ａ）に示すように、まず、ＴＶ１の２つのＨＤＭＩ入力端子１１及び１２のうち、ＨＤＭＩ入力端子１１に、ＨＤＭＩケーブル５を介してカムコーダ２が接続され、ＴＶ１の画面入力がＨＤＭＩ入力端子１１に選択される（図６のステップ６１）。すると、ＨＤＭＩ出力端子を有さないＴＶ１は、ルートデバイスとして、物理アドレス［０．０．０．０］を有する機器となる。ＴＶ１は、ＨＤＭＩの物理アドレス割り当てルールに従って、ＨＤＭＩ入力端子１１のＥＤＩＤに、当該入力端子１１に接続された機器用の物理アドレスとして、［１．０．０．０］を設定し、ＨＰＤによるＥＤＩＤ読み出しを許可する（ＨＰＤ＝Ｈ）。
【００６０】
ＴＶ１のＨＤＭＩ入力端子１１に、ＨＤＭＩ出力端子１３が接続されたカムコーダ２は、上記接続状態検出手段３５により、ＴＶ１のＨＰＤによるＥＤＩＤ読み出し許可（ＨＰＤ＝Ｈ）を検出し、自機器アドレス取得手段３６へ通信許可を通知する。通信許可を通知された自機器アドレス取得手段３６は、ＤＤＣライン１１０を介してＴＶ１のEDIDROM４５からＥＤＩＤを読み出し、当該ＥＤＩＤに記述された物理アドレス［１．０．０．０］を取得する（図６のステップ６２）。
【００６１】
続いて、物理アドレスを割り当てられたカムコーダ２は、自機器アドレス取得手段３６により、論理アドレスの取得処理を実行する。論理アドレスとは、機器のカテゴリを定義したＩＤであり、この論理アドレスの定義は、ＣＥＣプロトコルによって規定されている。
【００６２】
図７は、ＣＥＣプロトコルで規定されている論理アドレスの定義を示す図である。  
同図に示すように、カムコーダ２は、［Playback Device］カテゴリに該当するため、カムコーダ２は、［４］、［８］、［１１］のいずれかの論理アドレスを取得しようと試みる。
【００６３】
この論理アドレスは、上記自機器アドレス取得手段３６が、上記メッセージ伝送手段３８に、ＣＥＣメッセージの一つである［Polling］メッセージを発行させることにより取得される。ここで、ＣＥＣメッセージについて説明する。
【００６４】
図８は、ＣＥＣメッセージのフレーム構成を示した図である。  
同図に示すように、ＣＥＣメッセージは、スタートビット８１と、１つ以上のブロックで構成される。ＣＥＣメッセージの最初のブロックは、ヘッダブロック８２として構成され、それに続くブロックがデータブロック８３として構成される。
【００６５】
ヘッダブロック８２は、各４ビットからなるinitiatorフィールド８４と、destinationフィールド８５と、各１ビットからなるＥＯＭ（End Of Message）フィールド８６及びＡＣＫ（Acknowledge）フィールド８７から構成される。
【００６６】
initiatorフィールド８４には、メッセージ送信機器により、メッセージ送信機器の論理アドレスが設定される。  
destinationフィールド８５には、メッセージ送信機器により、メッセージ宛先機器の論理アドレスが設定される。  
ＥＯＭフィールド８６には、メッセージ送信機器により、さらに伝送されるべきブロックが続くか否かが設定される。当該ＥＯＭフィールド８６が"０"であればブロックが続き、"１"であればそのブロックで終了することが示される。  
ＡＣＫフィールド８７には、メッセージ宛先機器により、メッセージの応答して、メッセージの宛先に該当するか否か、あるいは、メッセージを拒絶するか否かが設定される。宛先論理アドレスが［１５］（＝Broadcast）以外の値の場合には、当該ＡＣＫフィールド８７が"１"であれば非該当または拒絶であることが示され、当該ＡＣＫフィールド８７が"０"であれば該当または受け入れであることが示される。宛先論理アドレスが［１５］（＝Broadcast）の場合には、当該ＡＣＫフィールド８７が"０"であれば非該当または拒絶であることが示され、当該ＡＣＫフィールド８７が"１"であれば該当または受け入れであることが示される。
【００６７】
カムコーダ２が［Polling］メッセージの送信により論理アドレスを取得する際には、未だ自機器の論理アドレスが定まっていない状態であるため、上記initiatorフィールド８４及びdestinationフィールド８５には、カムコーダ２が取得することを望む論理アドレス値（図６の場合は［４］）が設定される。また、このときＥＯＭフィールド８６及びＡＣＫフィールド８７はそれぞれ"１"に設定される（図６のステップ６３）。
【００６８】
［Polling］メッセージの送信に対して、ＡＣＫフィールド８７が０に設定されて応答された場合には、既に上記initiatorフィールド８４及びdestinationフィールド８５に設定された論理アドレスを有する機器が存在しているため、カムコーダ２は、当該［Polling］メッセージに対してＮＡＣＫ応答がされるまで別の論理アドレス（例えば［８］や［１１］）に変更して送信し、論理アドレスを取得する。
【００６９】
図６の場合、上記ステップ６３における［Polling4, 4］のメッセージに対して、ＤＶＤプレイヤー３からＮＡＣＫ応答があったため（ステップ６４）、カムコーダ２の論理アドレスが［４］に決定される（ステップ６５）。
【００７０】
以上の処理により取得されたカムコーダ２の物理アドレス及び論理アドレスは、上記アドレス保持手段３７により保持される。
【００７１】
その後、図５（Ｂ）に示すように、ＴＶ１のＨＤＭＩ入力端子１２に、ＨＤＭＩケーブル５を介してＤＶＤプレイヤー３が接続される（図６のステップ６６）。
【００７２】
ＴＶ１は、ＨＤＭＩの物理アドレス割り当てルールに従って、ＨＤＭＩ入力端子１２のＥＤＩＤに、当該入力端子１２に接続された機器用の物理アドレスとして、［２．０．０．０］を設定し、ＨＰＤによるＥＤＩＤ読み出しを許可する。
【００７３】
ＴＶ１のＨＤＭＩ入力端子１２に、ＨＤＭＩ出力端子１４が接続されたＤＶＤプレイヤー３は、カムコーダ２と同様に、ＴＶ１のＨＰＤによるＥＤＩＤ読み出し許可（ＨＰＤ＝Ｈ）を検出し、ＨＰＤラインを介してＴＶ１のEDIDROM４５からＥＤＩＤを読み出し、当該ＥＤＩＤに記述された物理アドレス［２．０．０．０］を取得する（図６のステップ６７）。
【００７４】
続いて、物理アドレスを割り当てられたＤＶＤプレイヤー３は、上述したカムコーダ２と同様の手法により、カムコーダ２からＮＡＣＫ応答がされるまで［Polling］メッセージを送信することで、論理アドレス［８］を取得する（ステップ６８〜７２）。
【００７５】
以上により、各機器が物理アドレスと論理アドレスの両方を取得した後、各機器から、ＣＥＣライン１２０を介して物理アドレス及び論理アドレスの対応関係を示す報告通知が発行される。この報告通知は、ＣＥＣメッセージの１つである［Report Physical Address］メッセージの伝送により実行される。この物理アドレス及び論理アドレスにより、ＴＶ１は、ＨＤＭＩケーブル５を介して、カムコーダ２及びＤＶＤプレイヤー３からそれぞれ非圧縮のデジタルデータを受信して表示することができる。
【００７６】
次に、ＴＶ１のＨＤＭＩ入力端子１１及び１２との間で、カムコーダ２及びＤＶＤプレイヤー３の繋ぎ替えがあった場合のＨＤＭＩ伝送システムの動作について説明する。ここでは、一例として、ＴＶ１のＨＤＭＩ入力端子１１にカムコーダ２が接続された後、カムコーダ２がＨＤＭＩ入力端子１１から一旦外され、替わりに当該ＨＤＭＩ入力端子１１にＤＶＤプレイヤー３が接続され、さらに、ＨＤＭＩ入力端子１２に、カムコーダ２が接続された場合について説明する。
【００７７】
図９は、カムコーダ２が上記のようにＴＶ１に接続された場合において、カムコーダ２へ送信されたＣＥＣメッセージに対するカムコーダ２の応答処理の流れを示したフローチャートである。
【００７８】
同図に示すように、カムコーダ２は、上記ＣＥＣライン１２０を介して、上記メッセージ伝送手段３８により、ＣＥＣメッセージを受信する（ステップ９１）。カムコーダ２のＣＰＵ２１は、受信されたＣＥＣメッセージの上記ヘッダブロック８２のdestinationフィールド８５を参照することで、当該ＣＥＣメッセージの宛先がどの機器宛かを判断する（ステップ９２）。
【００７９】
この場合、ＣＰＵ２１は、ＣＥＣメッセージの宛先にカムコーダ２が含まれるか否かを判断する。宛先にカムコーダ２が含まれる場合には、当該ＣＥＣメッセージがUnicast宛であるか、Broadcast宛であるかを判断する。
【００８０】
ＣＥＣメッセージがBroadcast宛である場合、ＣＰＵ２１は、上記メッセージ伝送手段３８により、当該メッセージに応答する（ステップ９４）。Broadcast宛のＣＥＣメッセージとしては、例えば、各機器に自機器の電源ＯＦＦを指示する［Standby］メッセージがある。
【００８１】
ＣＥＣメッセージがUnicast宛である場合、ＣＰＵ２１は、上記接続状態検出手段３５により、ＨＰＤの状態がＨｉｇｈであるかＬｏｗであるかを判断する（ステップ９３）。
【００８２】
ＨＰＤ＝Ｈの場合には、ＣＰＵ２１は、上記メッセージ伝送手段３８により、ＣＥＣメッセージに応答する。例えば、映像データ等のコンテンツの再生を指示する［Play］メッセージが受信され、ＨＰＤ＝Ｈである場合には、ＣＰＵ２１は、当該コンテンツを再生する。一方、ＨＰＤ＝Ｌの場合には、ＣＰＵ２１は、自機器宛のＣＥＣメッセージであっても当該ＣＥＣメッセージには応答せずに終了する。
【００８３】
また、上記ステップ９２において、受信されたＣＥＣメッセージが他の電子機器宛である場合にも、ＣＰＵ２１は何も応答せずに終了する。
【００８４】
以上のカムコーダ２の処理を、ＴＶ１への接続から、物理アドレス及び論理アドレスの取得、メッセージへの応答までを含めた一連の処理の流れの中で具体的に説明する。
【００８５】
図１０は、ＴＶ１の２つのＨＤＭＩ入力端子１１及び１２間でカムコーダ２とＤＶＤプレイヤー３が繋ぎ替えられた場合に、物理アドレス及び論理アドレスが割り当てられる様子を示した図である。また図１１は、カムコーダ２及びＤＶＤプレイヤー３に物理アドレス及び論理アドレスが割り当てられ、メッセージに応答する際の情報の流れを示したシーケンス図である。
【００８６】
図１０（Ａ）に示すように、まず、ＴＶ１の２つのＨＤＭＩ入力端子１１及び１２のうち、ＨＤＭＩ入力端子１１に、ＨＤＭＩケーブル５を介してカムコーダ２が接続され、ＴＶ１の画面入力がＨＤＭＩ入力端子１１に選択される（図１１のステップ１５１）。ＴＶ１は、上記図６の場合と同様、ＨＤＭＩ入力端子１１のＥＤＩＤに、当該入力端子１１に接続された機器用の物理アドレスとして、［１．０．０．０］を設定し、ＨＰＤによるＥＤＩＤ読み出しを許可する（ＨＰＤ＝Ｈ）。
【００８７】
ＴＶ１のＨＤＭＩ入力端子１１に、ＨＤＭＩ出力端子１３が接続されたカムコーダ２は、上記接続状態検出手段３５により、ＴＶ１のＨＰＤによるＥＤＩＤ読み出し許可（ＨＰＤ＝Ｈ）を検出し、自機器アドレス取得手段３６へ通信許可を通知する。通信許可を通知された自機器アドレス取得手段３６は、ＤＤＣライン１１０を介してＴＶ１のEDIDROM４５からＥＤＩＤを読み出し、当該ＥＤＩＤに記述された物理アドレス［１．０．０．０］を取得する（図１１のステップ１５２）。
【００８８】
続いて、物理アドレスを割り当てられたカムコーダ２の自機器アドレス取得手段３６は、上記図６の場合と同様に、メッセージ伝送手段３８に［Polling］メッセージを発行させることにより、論理アドレス［４］を取得する（ステップ１５３〜１５５）。カムコーダ２は、取得された物理アドレス及び論理アドレスを、上記アドレス保持手段３７により保持する。
【００８９】
その後、図１０（Ｂ）に示すように、カムコーダ２がＴＶ１のＨＤＭＩ入力端子１１から外され（図１１のステップ１５６）、ＤＶＤプレイヤー３が当該ＨＤＭＩ入力端子１１に接続される（図１１のステップ１５７）。これにより、カムコーダ２のＨＰＤはＬｏｗに移行する。
【００９０】
ＴＶ１は、ＨＤＭＩ入力端子１２のＥＤＩＤに、当該ＨＤＭＩ入力端子１１に接続された機器用の物理アドレスとして、［１．０．０．０］を設定し、ＨＰＤによるＥＤＩＤ読み出しを許可する。
【００９１】
ＴＶ１のＨＤＭＩ入力端子１１に、ＨＤＭＩ出力端子１４が接続されたＤＶＤプレイヤー３は、カムコーダ２と同様に、ＴＶ１のＨＰＤによるＥＤＩＤ読み出し許可（ＨＰＤ＝Ｈ）を検出し、ＨＰＤラインを介してＴＶ１のEDIDROM４５からＥＤＩＤを読み出し、当該ＥＤＩＤに記述された物理アドレス［１．０．０．０］を取得する（図１１のステップ１５８）。
【００９２】
続いて、物理アドレスを割り当てられたＤＶＤプレイヤー３は、論理アドレスを取得するため、［Polling］メッセージを送信する（図１１のステップ１５９）。この場合、カムコーダ２はＴＶ１に接続されておらず、カムコーダ２への［Polling］メッセージに対してはＮＡＣＫ応答がなされるため（図１１のステップ１６０）、ＤＶＤプレイヤー３の論理アドレスは［４］に決定される（図１１のステップ１６１）。
【００９３】
その後、図１０（Ｃ）に示すように、カムコーダ２がＴＶ１のＨＤＭＩ入力端子１２に接続される（図１１のステップ１６２）。この場合、ＴＶ１の画面入力はＨＤＭＩ入力端子１１に選択されており、ＨＤＭＩ入力端子１２のＨＰＤはＬｏｗのままであるため、カムコーダ２の物理アドレス及び論理アドレスの再取得処理は実行されない。したがって、カムコーダ２の物理アドレス及び論理アドレスは、上記アドレス保持手段３７により保持されたアドレス、すなわち、ＤＶＤプレイヤー３の物理アドレス及び論理アドレスと同一となる。
【００９４】
その後、ＴＶ１から、ＤＶＤプレイヤー３宛（論理アドレス［４］宛）に、例えば［Play］等のＣＥＣメッセージが発行される（ステップ１６３）。
【００９５】
この場合、ＤＶＤプレイヤー３は、当該ＣＥＣメッセージに応答して、コンテンツの再生処理を実行する（ステップ１６４）。一方、カムコーダ２のＣＰＵ２１は、上記図９で示したように、接続状態検出手段３５により、当該ＣＥＣメッセージが自機器宛のＣＥＣメッセージであるものの、ＨＰＤ＝Ｌであることを検出し、当該ＣＥＣメッセージに応答しないようメッセージ伝送手段３８を制御する（ステップ１６５）。
【００９６】
カムコーダ２がBroadcast宛のＣＥＣメッセージを受信した場合には、上記図９で示したように、カムコーダ２は、当該ＣＥＣメッセージに応答する。また、その後、ＴＶ１の画面入力がＨＤＭＩ入力端子１２に選択され、ＨＰＤ＝Ｈとなった場合には、カムコーダ２による物理アドレス及び論理アドレスの再取得処理が実行され、新たに論理アドレス［８］が取得される。この状態で論理アドレス［８］宛のＣＥＣメッセージが受信された場合には、カムコーダ２は、ＨＰＤ＝Ｈであるため、当該ＣＥＣメッセージに応答する。
【００９７】
以上の処理により、カムコーダ２は、自機器宛のＣＥＣメッセージを受信しても、ＨＰＤ＝Ｌである場合には、当該ＣＥＣメッセージに応答しないよう制御することができる。したがって、ＴＶ１への接続の順序等の事情で、既に物理アドレス及び論理アドレスが同一となる他の電子機器が存在している場合でも、当該他の電子機器宛のＣＥＣメッセージに対して誤って応答してしまうことを防ぐことができる。
【００９８】
本発明は上述の実施形態にのみ限定されるものではなく、本発明の要旨を逸脱しない範囲内において種々変更を加え得ることは勿論である。
【００９９】
上述の実施形態においては、ＴＶ１がＨＤＭＩ入力端子を２つ有する場合について説明したが、もちろん、ＴＶ１は、ＨＤＭＩ入力端子を３つ以上有していても構わない。この場合、カムコーダ２が一度接続されたＨＤＭＩ入力端子に後から他の電子機器が接続され、カムコーダ２が別のＨＤＭＩ入力端子に接続された場合には、上記図９で示した処理により、メッセージ応答を制御することができる。
【０１００】
上述の実施形態においては、上記ＨＰＤ信号のＨ／Ｌに応じてメッセージ応答を制御する電子機器として、カムコーダを示した。しかし、そのような電子機器は、例えばデジタルスチルカメラ、ノート型ＰＣ、ポータブルＤＶＤプレイヤー等の他のモバイル機器や、その他の据置き型の機器であっても構わない。
【０１０１】
上述の実施形態においては、各機器がＨＤＭＩケーブル５により接続される有線ネットワーク形態を示した。しかし、各機器がワイヤレスＨＤＭＩにより接続されるネットワーク形態であっても本発明を適用することができる。
【０１０２】
上述の実施形態においては、非圧縮のデジタル映像信号及びデジタル音声信号の一方向伝送が可能な第１の伝送路と、所定のメッセージの双方向伝送が可能な第２の伝送路とを有するインタフェースとして、ＨＤＭＩを示したが、そのような２つの伝送路を有するインタフェースであれば、ＨＤＭＩ以外のインタフェースにも本発明を適用することができる。
【図面の簡単な説明】
【０１０３】
【図１】本発明の一実施形態における伝送システムの構成を示す図である。
【図２】本発明の一実施形態に係るカムコーダの構成を示すブロック図である。
【図３】本発明の一実施形態に係るカムコーダの機能的なブロック構成を示した図である。
【図４】本発明の一実施形態におけるカムコーダのＨＤＭＩ送信部及びＴＶのＨＤＭＩ受信部の構成を示した図である。
【図５】本発明の一実施形態において、ＴＶにカムコーダ及びＤＶＤプレイヤーが接続され、物理アドレス及び論理アドレスが割り当てられる様子を示した図である。
【図６】本発明の一実施形態において、カムコーダ及びＤＶＤプレイヤーに物理アドレス及び論理アドレスが割り当てられる際の情報の流れを示したシーケンス図である。
【図７】本発明の一実施形態において用いられるＣＥＣプロトコルで規定されている論理アドレスの定義を示す図である。
【図８】本発明の一実施形態において用いられるＣＥＣメッセージのフレーム構成を示した図である。
【図９】本発明の一実施形態に係るカムコーダへ送信されたＣＥＣメッセージに対するカムコーダの応答処理の流れを示したフローチャートである。
【図１０】本発明の一実施形態において、ＴＶの２つのＨＤＭＩ入力端子間でカムコーダとＤＶＤプレイヤーが繋ぎ替えられた場合に、物理アドレス及び論理アドレスが割り当てられる様子を示した図である。
【図１１】本発明の一実施形態においてＴＶの２つのＨＤＭＩ入力端子間でカムコーダとＤＶＤプレイヤーが繋ぎ替えられた場合に、カムコーダ及びＤＶＤプレイヤーに物理アドレス及び論理アドレスが割り当てられる際の情報の流れを示したシーケンス図である。
【符号の説明】
【０１０４】
１…ＴＶ（テレビジョン装置）
２…カムコーダ
３…ＤＶＤプレイヤー
５…ＨＤＭＩケーブル
１１、１２…ＨＤＭＩ入力端子
１３、１４…ＨＤＭＩ出力端子
２１…ＣＰＵ
３４…ＨＤＭＩ送信部
３５…接続状態検出手段
３６…自機器アドレス取得手段
３７…アドレス保持手段
３８…メッセージ伝送手段
４０…フラッシュメモリ
４４…ＨＤＭＩ受信部
１１０…ＤＤＣライン
１２０…ＣＥＣライン
１３０…ＨＰＤライン
【図１】
0004968091.tif 000002
【図２】
0004968091.tif 000003
【図３】
0004968091.tif 000004
【図４】
0004968091.tif 000005
【図５】
0004968091.tif 000006
【図６】
0004968091.tif 000007
【図７】
0004968091.tif 000008
【図８】
0004968091.tif 000009
【図９】
0004968091.tif 000010
【図１０】
0004968091.tif 000011
【図１１】
0004968091.tif 000012